(57)【要約】【課題】簡易な構造にてカラーホイールを効率良く冷却して温度上昇を抑える。【解決手段】カラーホイール３０の両面を部分的に間隙７２を有して覆うカラーホイールカバー７０を用い、そのカラーホイールカバー７０の表面部７１ａの中心部に吸気孔７４を設ける。これにより、カラーホイール３０が回転した際に、吸気孔７４から吸気された空気がカラーホイール３０の表面に吹き付けて温度上昇を抑えることができる。また、吸気孔７４から吸気されてカラーホイール３０の熱で温まった空気は間隙７２を通じて外部に排気される。よって、温かい空気がカバー内部を循環して冷却効率を下げてしまうことを防ぐことができる。【選択図】      図５
2007093690.tif 000002
【特許請求の範囲】
【請求項１】
光源からの光を分光する回転式のカラーホイールと、
このカラーホイールの一面側に該カラーホイールと間隙をもって設けられたカバー部材とを備え、
前記カバー部材の前記カラーホイールの回転中心に対応した部分に吸気孔を設け、前記カラーホイールの回転に伴い、前記吸気孔から吸気される空気を該カラーホイール周囲方向へ排気することを特徴とするカラーホイールユニット。
【請求項２】
光源からの光を分光する回転式のカラーホイールと、
このカラーホイール全体を覆うと共に、前記カラーホイールの回転方向に沿って徐々に広がる排気路を有するカバー部材とを備え、
前記カバー部材の表面と裏面の少なくとも一方の、前記カラーホイールの回転中心に対応した部分に吸気孔を設け、前記カラーホイールの回転に伴い、前記吸気孔から吸気される空気を前記排気路を通じて外部へ排気することを特徴とするカラーホイールユニット。
【請求項３】
前記カバー部材に前記吸気孔に繋がる吸気用のダクトを設けたことを特徴とする請求項１または２記載のカラーホイールユニット。
【請求項４】
前記吸気用のダクトの吸気口は、前記光源からの光の入射口とは反対の方向に向けられていることを特徴とする請求項１または２記載のカラーホイールユニット。
【請求項５】
前記カラーホイールの前記カバー部材に設けられた前記吸気孔と対向する面上に送風用の羽根を設けたことを特徴とする請求項１または２記載のカラーホイールユニット。
【請求項６】
前記送風用の羽根は、遮光性の低い部材で形成されていることを特徴とする請求項５記載のカラーホイールユニット。
【請求項７】
前記吸気孔は、前記カバー部材の裏面側に設けられていることを特徴とする請求項１または２記載のカラーホイールユニット。
【請求項８】
前記排気路の流出口に排気用のダクトを設けたことを特徴とする請求項２記載のカラーホイールユニット。
【請求項９】
前記請求項１乃至８のいずれか１つに記載のカラーホイールユニットを用いた投影装置。
【発明の詳細な説明】
【技術分野】
【０００１】
本発明は、プロジェクタに用いられるカラーホイールユニットに係り、特にカラーホイールの冷却構造に関する。
【背景技術】
【０００２】
例えば、ＤＬＰ（digital light processing）タイプのプロジェクタでは、少なくともＲ，Ｇ，Ｂの３原色に区分された回転式のカラーホイールを備え、光源からの光をこのカラーホイールにより分光して表示素子に与えることでカラー表示を実現している。
【０００３】
ここで、プロジェクタの投影中は、光源からの光がカラーホイールに常に照射された状態にあるので、その光によってカラーホイールが加熱により高温化する。通常、カラーホイールはモータのハブに接着剤によって貼り付けられているため、その接着剤の耐熱温度よりも高くなると、接着剤が溶解して、カラーホイールがモータから外れて破損することがある。また、カラーホイール自体が熱源となり、その周辺の部品に影響を与えることもある。
【０００４】
そこで、一般的には、カラーホイールの近傍に冷却ファンを設置しておき、その冷却ファンの冷却風をカラーホイールに吹き付けることで、カラーホイールの温度上昇を抑えるといった対策が採られている（例えば、特許文献１参照）。
【０００５】
また、別の方法として、カラーホイール上に送風用の羽根を設けておき、その羽根の回転によって風を起こしてカラーホイールを冷却する方法も考えられている（例えば、特許文献２参照）。
【特許文献１】特開２００４−５３６９２号公報
【特許文献２】特開２００１−１００３１５号公報
【発明の開示】
【発明が解決しようとする課題】
【０００６】
しかしながら、前記特許文献１では、カラーホイールを冷却するための特別なファンを用いるため、その分の設置スペースが必要であり、装置が大型化するといった問題や、冷却ファンを駆動するために消費電力が高くなるといった問題がある。
【０００７】
また、前記特許文献２では、冷却ファンを必要としない分、構造は簡素となるが、羽根の回転だけでは十分な冷却効果は期待できず、しかも、カラーホイールを通して暖まった空気が再び羽根の回転により吸気されることになり、冷却効率が上がらないといった問題もある。
【０００８】
本発明は前記のような点に鑑みなされたもので、簡易な構造にてカラーホイールを効率良く冷却して温度上昇を抑えることのできるカラーホイールユニットを提供することを目的とする。
【課題を解決するための手段】
【０００９】
本発明の請求項１に係るカラーホイールユニットは、光源からの光を分光する回転式のカラーホイールと、このカラーホイールの一面側に該カラーホイールと間隙をもって設けられたカバー部材とを備え、前記カバー部材の前記カラーホイールの回転中心に対応した部分に吸気孔を設け、前記カラーホイールの回転に伴い、前記吸気孔から吸気される空気を該カラーホイール周囲方向へ排気することを特徴とする。
【００１０】
本発明の請求項２に係るカラーホイールユニットは、光源からの光を分光する回転式のカラーホイールと、このカラーホイール全体を覆うと共に、前記カラーホイールの回転方向に沿って徐々に広がる排気路を有するカバー部材とを備え、前記カバー部材の表面と裏面の少なくとも一方の、前記カラーホイールの回転中心に対応した部分に吸気孔を設け、前記カラーホイールの回転に伴い、前記吸気孔から吸気される空気を前記排気路を通じて外部へ排気することを特徴とする。
【００１１】
本発明の請求項３は、前記請求項１または２記載のカラーホイールユニットにおいて、前記カバー部材に前記吸気孔に繋がる吸気用のダクトを設けたことを特徴とする。
【００１２】
本発明の請求項４は、前記請求項１または２記載のカラーホイールユニットにおいて、前記吸気用のダクトの吸気口は、前記光源からの光の入射口とは反対の方向に向けられていることを特徴とする。
【００１３】
本発明の請求項５は、前記請求項１または２記載のカラーホイールユニットにおいて、前記カラーホイールの前記カバー部材に設けられた前記吸気孔と対向する面上に送風用の羽根を設けたことを特徴とする。
【００１４】
本発明の請求項６は、前記請求項５記載のカラーホイールユニットにおいて、前記送風用の羽根は、遮光性の低い部材で形成されていることを特徴とする。
【００１５】
本発明の請求項７は、前記請求項１または２記載のカラーホイールユニットにおいて、前記吸気孔は、前記カバー部材の裏面側に設けられていることを特徴とする。
【００１６】
また、本発明の請求項８は、前記請求項２記載のカラーホイールユニットにおいて、前記排気路の流出口に排気用のダクトを設けたことを特徴とする。
【００１７】
本発明の請求項９は、前記請求項１乃至８のいずれか１つに記載のカラーホイールユニットを用いた投影装置である。
【発明の効果】
【００１８】
本発明によれば、カラーホイールを覆うカバー部材に吸気孔を設け、その吸気孔から吸気される空気をカバー部材の間隙あるいはカバー部材内に形成された排気路を介して外部に排気するようにしたため、簡易な構造にてカラーホイールを効率良く冷却して温度上昇を抑えることができる。
【発明を実施するための最良の形態】
【００１９】
以下、図面を参照して本発明の実施形態を説明する。
【００２０】
なお、以下の各実施形態では、本発明のカラーホイールユニットを投影装置（以下、プロジェクタと称す）に適用した場合を想定して説明する。
【００２１】
（第１の実施形態）
第１の実施形態では、回転式のカラーホイールの両面を部分的に間隙を有して覆うカラーホイールカバー（カバー部材）を用い、そのカラーホイールカバーの表面中心部に吸気孔を設けて、その吸気孔から冷却用の風をカラーホイールに送り込むようにしたことを特徴とする。
【００２２】
このカラーホイールユニットの具体的な構成を説明する前に、まず、プロジェクタの全体構造について詳しく説明する。
【００２３】
図１はプロジェクタの外観構成を示す斜視図、図２は前記プロジェクタの横断平面図、図３は図２のIII−III線に沿う断面図である。
【００２４】
このプロジェクタは、平面形状が矩形状をなすプロジェクタケース１内に、光源装置１７と、複数の画素が行方向及び列方向にマトリックス状に配列した表示エリアを有し、前記複数の画素に入射した光の出射を制御して画像を表示する表示素子２８と、前記光源装置１７からの出射光を前記表示素子２８に入射させる光源側光学系２９と、前記表示素子２８からの出射光を図示しないスクリーン等の投影面に投影する投影レンズ４５とを配置したものである。
【００２５】
図１に示すように、前記プロジェクタケース１は、その両側面及び後面と底面とを構成するケース本体１ａと、上面パネル１ｂと、前面パネル１ｃとからなっており、その後面に、パソコン用のＵＳＢ端子及びカラー画像信号と音声信号の入力端子と、ビデオ信号入力端子と、電源コネクタ（いずれも図示せず）が設けられている。
【００２６】
また、前記プロジェクタケース１の上面には、電源キー２と、前記光源装置１７の点灯を表示するランプインジケータ３及び前記光源装置１７の過熱を表示する過熱インジケータ４と、自動画質調整キー５及び手動画質調整キー６と、前記電源コネクタを商用電源に接続したスタンバイ状態と前記電源キー２をオンさせたときとで表示色が変化するパワー／スタンバイインジケータ７と、開閉蓋８を開いて操作される各種調整キー（図示せず）と、スピーカ用放音部９が設けられ、前面に、図示しないリモコン器からの赤外線信号を受けるリモコン受信部１０が設けられている。
【００２７】
また、前記プロジェクタケース１の前面の一側部には、開閉可能な投影レンズカバー１２を備えた投影口１１が設けられている。なお、前記投影レンズカバー１２の中央部には開口が形成されており、その開口に例えば赤色の半透明板１３が設けられている。
【００２８】
さらに、前記プロジェクタケース１の底面には、その後側領域の両側部に配置された左右一対の後足部材１４ａと、前側領域の中央部付近にケース前縁部よりもある程度後方にずらして配置された１つの前足部材１４ｂが設けられている。
【００２９】
この後足部材１４ａ及び前足部材１４ｂは、プロジェクタの使用時（投影時）に、前記プロジェクタケース１を、その前側を高くした斜め上向き状態に支持するものであり、一対の後足部材１４ａは、プロジェクタケース１の底部に螺合された図示しないねじ脚の下端に固定されており、前足部材１４ｂは、前記プロジェクタケース１内に設けられた図示しない脚ロック機構に上下方向にスライド可能に保持されたロッド脚１５の下端に固定され、ケース底面からの突出高さを調整可能に設けられている。
【００３０】
なお、前記脚ロック機構は、前記前面パネル１ｃに設けられたロック解除つまみ１６の押し下げにより前記ロッド脚１５のロックを解除し、ロック解除つまみ１６の押し下げが解除されたときにばね力により自動的に前記ロッド脚１５をロックする構成となっている。これにより、プロジェクタケース１は、プロジェクタの使用時に、前記ロック解除つまみ１６を押し下げて前記ロッド脚１５を前足部材１４ｂとともに自重により自由に下降できるようにし、その状態でプロジェクタケース１の前側を持ち上げて前記投影レンズ４５による投影方向を投影面に合わせた後に、前記ロック解除つまみ１６の押し下げを解除して前記ロッド脚１５をロックすることにより、前記斜め上向き状態に支持される。
【００３１】
ここで、光源装置１７の構成について説明する。
【００３２】
図２及び図３に示すように、光源装置１７は、光源ランプ１８と、光を出射させる開放面を有し、内部に配置された前記光源ランプ１８からの放射光を反射して前記開放面から出射するリフレクタ２１と、前記リフレクタ２１の開放面の前側に配置された透明板２２とを備えている。
【００３３】
前記光源ランプ１８は、中間部に球状の膨らみ部を有するガラスバルブ１９内に、モリブデン等からなる一対の棒状電極２０ａ，２０ｂが、それぞれの先端を前記膨らみ部内において近接対向させ、それぞれの後端部を前記ガラスバルブ１９の両端からガラスバルブ１９外に露出させて設けられ、前記ガラスバルブ１９内に前記棒状電極２０ａ，２０ｂの先端間に発生するアークにより発光する物質が封入された高圧水銀ランプ等のショートアークランプである。
【００３４】
また、前記リフレクタ２１は、その軸線上のリフレクタ内の点と前記開放面の前方の点とにそれぞれ焦点を有する楕円面リフレクタであり、中空の楕円球体をその長軸に対して垂直に切断した形状を有する耐熱ガラス製リフレクタ本体の内面全体に紫外線透過性反射膜２１ａを設けた構成となっている。
【００３５】
そして、前記光源ランプ１８は、その一端側を前記リフレクタ２１内に位置させ、他端側を前記リフレクタ２１の内奥面の中心に設けられた開口部からリフレクタ２１の後側に突出させるとともに、前記ガラスバルブ１９の軸線をリフレクタ２１の軸線に一致させ、且つ前記一対の棒状電極２０ａ，２０ｂの先端間の発光点を前記リフレクタ２１のリフレクタ内側の焦点に一致させて設けられている。
【００３６】
また、前記透明板２２は、紫外線フィルタ機能を有するものであり、一方の面に紫外線反射膜２３が設けられ、他方の面に低反射膜２４が設けられた防爆ガラスを用いている。以下、この透明板２２を防爆ガラスという。
【００３７】
さらに、この光源装置１７は、前記リフレクタ２１の開放面の前側に配置された金属筒または耐熱性樹脂筒からなる筒状の防爆カバー２５を備えている。
【００３８】
この防爆カバー２５は、両端が開放し、且つ一端側から他端側に向かって大径となるテーパー付き円筒体の内周面全体に非反射処理を施したものであり、その一端、つまり大径側端の開放縁は防爆カバー２５の軸線に対して垂直に形成され、他端、つまり小径側端の開放縁は前記軸線に垂直な面に対して一方向に所定角度傾いた傾斜面に形成されている。
【００３９】
そして、この防爆カバー２５は、その一端（大径側端）の周縁部を前記リフレクタ２１の開放面の周縁部にビス止め等の手段により接続して設けられており、この防爆カバー２５の他端部（小径側端部）の内周に、前記防爆ガラス２２が、前記リフレクタ２１からの出射光の光軸、つまりリフレクタ２１の軸線に垂直な面に対して一方向に所定角度斜めに傾けて嵌合されている。
【００４０】
この実施例では、前記防爆ガラス２２を、前記リフレクタ２１からの出射光の光軸（リフレクタ２１の軸線）Ｏ１に垂直な面に対して、前記リフレクタ２１の開放面から出射し、前記防爆ガラス２２により反射されて前記リフレクタ２１内に戻った光が前記光源ランプ１８上に集光しない傾斜角で配置している。
【００４１】
また、前記防爆カバー２５には、前記リフレクタ２１への接続端側の周面の一側部と他側部とに、前記リフレクタ２１の内部空間及び光源ランプ１８を空冷するための通風孔２６，２７が設けられている。
【００４２】
一方、図２に示す表示素子２８は、カラーフィルタのような入射光を着色する手段を備えない表示素子であり、一般にＤＭＤと略称されるマイクロミラー表示素子（Digital Micromirror Device）を用いている。以下、この表示素子２８をマイクロミラー表示素子と言う。
【００４３】
前記マイクロミラー表示素子２８は、その構成は図示しないが、１つ１つの画素をそれぞれ、ＣＭＯＳをベースとするミラー駆動素子によって一方の傾き方向と他方の傾き方向とに傾動されるマイクロミラーにより形成したものであり、これらのマイクロミラーは、縦横の幅が１０μｍ〜２０μｍの極薄金属片（例えばアルミニウム片）からなっている。
【００４４】
このマイクロミラー表示素子２８は、その正面方向に対して一方向に傾いた入射方向から所定の角度範囲の入射角で入射した光を、前記複数のマイクロミラーの傾き方向の切換えにより前記正面方向と斜め方向とに反射して画像を表示するものであり、一方の傾き方向に傾動されたマイクロミラーに入射した光をこのマイクロミラーにより正面方向に反射し、他方の傾き方向に傾動されたマイクロミラーに入射した光をこのマイクロミラーにより斜め方向に反射し、正面方向への反射による明表示と、斜め方向への反射による暗表示とにより画像を表示する。
【００４５】
なお、前記明表示の明るさは、前記マイクロミラーを前記一方の傾き方向（入射光を正面方向に反射させる傾き方向）に傾けておく時間を制御することによって任意に変化させることができる。したがって、前記マイクロミラー表示素子２８に、明るさに階調をもたせた画像を表示させることができる。
【００４６】
前記マイクロミラー表示素子２８は、前記プロジェクタケース１内の後部領域の一側部に、その正面方向を前記プロジェクタケース１の前面の一側部に設けられた投影口１１に対向させて配置されている。
【００４７】
また、前記光源装置１７からの出射光を前記マイクロミラー表示素子２８に入射させる光源側光学系２９は、前記光源装置１７からの出射光を赤、緑、青の３色に順次着色するためのカラーホイール３０と、前記光源装置１７からの出射光の強度分布を均一にするための導光ロッド３３と、前記カラーホイール３０により着色され、前記導光ロッド３３により強度分布を均一にされた光を前記マイクロミラー表示素子２８の前面に向けて投射する前後２つの光源側レンズ３４，３５及びミラー３７とからなっている。
【００４８】
前記カラーホイール３０は、扇状の赤、緑、青の３色のカラーフィルタ３１Ｒ，３１Ｇ，３１Ｂが周方向に並べて設けられた回転板からなっており、その中心を前記光源装置１７からの出射光の光路の側方に配置されたカラーホイール回転モータ３２の回転軸に固定され、ホイール周方向の一部を前記光源装置１７からの出射光の光路に介在させて配置されている。
【００４９】
このカラーホイール３０は、前記カラーホイール回転モータ３２により、前記３色のカラーフィルタ３１Ｒ，３１Ｇ，３１Ｂが前記光源装置１７からの出射光の光路を順次横切るように高速で回転駆動される。
【００５０】
なお、後述するように、本発明の第１の実施形態では、カラーホイール３０にカラーホイールカバー７０（図５参照）が設けられるが、図２及び図３では、このカラーホイールカバー７０を省略して示してある。
【００５１】
また、前記導光ロッド３３は、前記マイクロミラー表示素子２８の複数の画素がマトリックス状に配列している表示エリアの外形と相似な断面形状を有し、内周面全体に反射膜（図示せず）が設けられた角筒状体からなっており、その一端に光を入射させる入射面が形成され、他端に前記入射面から入射した光の出射面が形成されている。
【００５２】
この導光ロッド３３は、前記入射面から入射した光をロッド内周面の反射膜により反射しながら導いて前記出射面から均一な強度分布の光を出射するものである。この導光ロッド３３は、前記カラーホイール３０の出射側に、前記入射面を前記カラーホイール３０を介して前記光源装置１７に対向させるとともに、前記光源装置１７のリフレクタ２１の開放面から出射し、前記リフレクタの前側に斜めに傾けて配置された前記防爆ガラス２２を屈折して透過した光を前記入射面から入射させるために、前記防爆ガラス２２を透過した光の光軸、つまり前記リフレクタ２１の開放面からの出射光の光軸（リフレクタ２１の軸線）Ｏ１に対して一方向（防爆ガラス２２での屈折方向）に平行にシフトした光軸Ｏ２にロッド中心軸を一致させて配置されている。
【００５３】
また、前記光源側レンズ３４，３５は、前記導光ロッド３３の出射側に配置されたレンズ支持筒３６内に、レンズ中心を前記導光ロッド３３の中心軸の延長線、つまり前記光源装置１７からの出射光（防爆ガラス２２を透過して出射した光）の光軸Ｏ２に一致させて配置されている。
【００５４】
そして、この実施例では、前記レンズ支持筒３６の入射側に、前記カラーホイール回転モータ３２の配置部に対応する側部が切欠された筒状の導光ロッド支持部を形成し、この導光ロッド支持部内に前記導光ロッド３３を嵌装している。
【００５５】
なお、前記導光ロッド３３は、前記マイクロミラー表示素子２８の表示エリアと相似な断面形状を有する透明な角棒状体からなり、一端の入射面から入射した光を、ロッド外周面と外気である空気層との界面で全反射しながら導いて他端の出射面から均一な強度分布の光を出射するものでもよく、その場合は、前記レンズ支持筒３６の導光ロッド支持部の内径を大きくし、前記角棒状体からなる導光ロッドを、前記導光ロッド支持部内に、その内周面との間に空間を介在させて配置すればよい。
【００５６】
前記光源装置１７のリフレクタ２１と、前記光源側光学系２９のカラーホイール回転モータ３２と、前記導光ロッド３３と光源側レンズ３４，３５を支持したレンズ支持筒３６は、両端が開放する光源側ハウジング３８内に所定の位置関係で固定されている。
【００５７】
そして、光源側ハウジング３８は、前記プロジェクタケース１内の前後方向における中央部から後側の領域に、前記プロジェクタケース１の両側面のうち、前記マイクロミラー表示素子２８の配置側とは反対側の側面に前記光源装置１７の配置側を向け、前記レンズ支持筒３６の出射端を前記マイクロミラー表示素子２８の正面方向の領域に対向させるとともに、前記光源装置１７からの出射光の光軸Ｏ２を、前記マイクロミラー表示素子２８の正面方向に対して略直交させて設置されている。
【００５８】
また、前記光源側光学系２９のミラー３７は、平面鏡からなっている。このミラー３７は、一側面と後面及び前面に開口４０，４１，４２を有し、前記一側面の開口４０内に前記レンズ支持筒３６の出射端を挿入するとともに後面の開口４１を前記マイクロミラー表示素子２８に対向させて前記プロジェクタケース１内に設置されたミラーハウジング３９内に、前記マイクロミラー表示素子２８の正面方向領域を挟んで前記レンズ支持筒３６の出射端と対向させるとともに、前記光源装置１７からの出射光の光軸Ｏ２に対して所定角度斜めに傾けて、前記光源装置１７から出射し、前記カラーホイール３０と導光ロッド３３と光源側レンズ３４，３５とを透過した光を前記マイクロミラー表示素子２８に向けて反射し、その反射光を前記マイクロミラー表示素子２８にその正面方向に対して一方の方向に傾いた方向から投射するように配置されている。
【００５９】
一方、前記マイクロミラー表示素子２８の前面には、このマイクロミラー表示素子２８を保護するカバーガラス４３が配置されており、その前面側に、前記ミラーハウジング３９の後面の開口に設けられ、前記光源装置１７から出射し、前記光源側光学系２９によりマイクロミラー表示素子２８にその正面方向に対して一方の方向に傾いた方向から投射された光を前記マイクロミラー表示素子２８の正面方向に対して所定角度傾いた方向に沿う平行光に補正して前記マイクロミラー表示素子２８に入射させ、前記マイクロミラー表示素子２８から出射した画像光を集光させて投影レンズ４５に入射させる中継レンズ４４が配置されている。
【００６０】
この中継レンズ４４は、前記光源側光学系２９からの投射光のうち、中継レンズ面で表面反射した光を、前記投影レンズ４５による投影方向以外の方向に出射する特性を有している。
【００６１】
前記中継レンズ４４は、一方の面が凸面に形成され、他方の面が凹面に形成されたメニスカスレンズからなっており、その凸面を前記マイクロミラー表示素子２８に対向させ、凹面を前記光源側光学系２９及び投影レンズ４５に対向させるとともに、レンズ中心を、前記マイクロミラー表示素子２８の表示エリアの周縁のうち、前記光源側光学系２９からの投射光が入射する方向とは反対側の縁部の中心付近に対向させて配置されている。
【００６２】
そして、この中継レンズ４４の光源側光学系２９及び投影レンズ４５に対向する凹面は、前記光源側光学系２９からの投射光のうち、前記凹面で表面反射した光を、投影レンズ４５による投影方向以外の方向に出射する曲率をもった面に形成され、マイクロミラー表示素子２８に対向する凸面は、前記凹面の曲率に基づいて、前記光源側光学系２９からの投射光を前記凹面と凸面とによりマイクロミラー表示素子２８の正面方向に対して所定角度傾いた方向に屈折させて前記マイクロミラー表示素子２８に入射させ、前記マイクロミラー表示素子２８からその正面方向に出射した光を前記凸面と凹面とにより集光方向に屈折させて前記投影レンズ４５に入射させる曲率をもった面に形成されている。
【００６３】
なお、この中継レンズ４４の有効領域は、円形レンズのうちの前記マイクロミラー表示素子２８の表示エリアに対応する部分であり、他の部分は非有効領域であるため、この実施例では、円形レンズから前記非有効領域を切り落とした形状の中継レンズ４４を用いている。
【００６４】
また、前記投影レンズ４５は、入射側固定鏡筒４６と、この入射側固定鏡筒４６に係合され、回転操作により軸方向に進退移動される出射側可動鏡筒４７とを備え、これらの鏡筒４６，４７内にそれぞれ複数枚のレンズ素子を組合わせて構成されたレンズ群４８，４９を設けた可変焦点レンズである。この投影レンズ４５は、その入射側固定鏡筒４６の基端を前記ミラーハウジング３９の前面の開口４２内に挿入し、この入射側固定鏡筒４６の入射端を前記中継レンズ４４を介して前記マイクロミラー表示素子２８に対向させ、前記可動鏡筒４７の出射端をプロジェクタケース１の前面の一側部に設けられた投影口１１に移動可能に嵌装して前記プロジェクタケース１内に配置されている。
【００６５】
なお、前記プロジェクタケース１の投影レンズ配置側の側面には、前記投影レンズ４５の可動鏡筒４７を手動により回転させて軸方向に移動させ、前記投影レンズ４５の焦点調整を行なうための開口５０が設けられている。
【００６６】
また、前記プロジェクタケース１内には、プロジェクタケース１の後面に設けられた図示しないＵＳＢ端子、カラー画像信号及び音声信号の入力端子、ビデオ信号入力端子に接続された表示／音声系回路基板５１が、プロジェクタケース１の後面部と前記光源側ハウジング３８との間に立設状態で配置されている。この表示／音声系回路基板５１に、前記マイクロミラー表示素子２８と、前記プロジェクタケース１内の上面部にスピーカ用放音部９に対向させて配置されたスピーカ（図示せず）が接続されている。
【００６７】
さらに、前記プロジェクタケース１内の前記光源側ハウジング３８の前側のスペースには、プロジェクタケース１の後面に設けられた図示しない電源コネクタに接続された電源系回路基板５２が水平に配置されており、この電源系回路基板５２に、前記光源装置１７の光源ランプ１８が、その一対の棒状電極２０ａ，２０ｂの露出部にそれぞれ接続されたリード線５３ａ，５３ｂを介して接続されるとともに、前記カラーホイール回転モータ３２が図示しないリード線を介して接続されている。
【００６８】
なお、前記光源ランプ１８の一対の棒状電極２０ａ，２０ｂのうち、リフレクタ２１内側の棒状電極２０ａの露出部に接続されたリード線５３ａは、前記リフレクタ２１に設けられたリード挿通孔を通してリフレクタ２１外に引き出され、さらに光源側ハウジング３８の端部から引き出されて前記電源系回路基板５２に接続されている。
【００６９】
また、前記プロジェクタケース１内には、その上面部と光源側ハウジング３８及びミラーハウジング３９との間に、プロジェクタ制御回路基板５４が水平に配置されている。このプロジェクタ制御回路基板５４に、前記表示／音声系回路基板５１及び電源系回路基板５２と、プロジェクタケース１の上面に設けられたランプインジケータ３及び過熱インジケータ４と、自動画質調整キー５及び手動画質調整キー６と、パワー／スタンバイインジケータ７と、開閉蓋８を開いて操作される各種調整キーと、プロジェクタケース１内にその前面のリモコン受信部１０に対向させて設けられた図示しない受信素子と、前記光源側ハウジング３８内にリフレクタ２１の近傍に位置させて配置された図示しない光源温度測定センサが接続されている。
【００７０】
さらに、前記プロジェクタケース１の底面と、前記投影レンズ４５が配置された側の側面、後面と、底面には、それぞれ、プロジェクタケース１内を空冷するための複数の長孔状吸気孔５５，５６，５７が設けられている。
【００７１】
なお、前記光源側ハウジング３８と電源系回路基板５２は、プロジェクタケース１の底面部との間に通風空間を確保して配置されており、ケース底面の複数の長孔状吸気孔５５は、前記光源側ハウジング３８及び電源系回路基板５２の下側に設けられている。
【００７２】
また、前記投影レンズ４５は、プロジェクタケース１の側面部との間に通風空間を確保して配置されており、ケース側面の複数の長孔状吸気孔５６は、前記ケース側面の投影レンズ焦点調整用開口５０よりも後側の部分の略全域にわたって設けられている。
【００７３】
さらに、前記表示／音声系回路基板５１は、プロジェクタケース１の上面部との間に通風空間を確保して配置されており、ケース後面の複数の長孔状吸気孔５７は、前記マイクロミラー表示素子２８の配置部に対応する部分に設けられている。
【００７４】
前記ケース底面の複数の長孔状吸気孔５５のうち、前記電源系回路基板５２の下側に設けられた吸気孔（図示せず）と、ケース側面の長孔状吸気孔５６は自然吸気孔、前記ケース底面の光源側ハウジング３８の下側の部分に設けられた長孔状吸気孔５５と、ケース後面のマイクロミラー表示素子２８の配置部に対応する部分に設けられた吸気孔５７は強制吸気孔であり、前記プロジェクタケース１内には、前記長孔状吸気孔５５，５７にそれぞれ対向させて吸気ファン５８，５９が配置されている。
【００７５】
また、前記プロジェクタケース１の光源装置１７が配置された側の側面には、その略全体にわたって複数の長孔状排気孔６１が設けられている。
【００７６】
なお、前記プロジェクタケース１の光源装置１７が配置された側の側面は、嵌め込みパネル６０により構成されており、この嵌め込みパネル６０の略全域に前記複数の長孔状排気孔６１が設けられている。
【００７７】
これらの長孔状排気孔６１はいずれも強制排気孔であり、前記プロジェクタケース１内には、前記長孔状排気孔６１の形成領域、つまり前記嵌め込みパネル６０の略全域に対応させて、複数台、例えば３台の大風力排気ファン６２，６３，６４が配置されている。
【００７８】
そして、前記吸気ファン５８，５９及び前記大風力排気ファン６２，６３，６４は、前記電源系回路基板５２に接続されている。
【００７９】
また、前記複数の長孔状排気孔６１の孔縁はそれぞれ、排気効率を向上させるとともに、前記大風力排気ファン６２，６３，６４による強制排気流の風切り音を低減するために、排気流方向に対して垂直またはそれに近い角度の面の無い形状、つまり排気流に渦を生じさせにくい形状に形成されている。
【００８０】
このような構成のプロジェクタにあっては、光源装置１７から光を出射させ、光源側光学系２９のカラーホイール３０を高速で回転駆動させることにより、前記光源装置１７から出射して前記光源側光学系２９に入射した光を、前記カラーホイール３０により赤、緑、青の３色に順次着色し、さらに前記導光ロッド３３により強度分布を均一にして、前記光源側レンズ３４，３５及びミラー３７によりマイクロミラー表示素子２８に向けて投射する。
【００８１】
その際に、前記赤、緑、青の光の投射周期に同期させて前記マイクロミラー表示素子２８に赤、緑、青の単色画像データを順次書込むことにより、前記マイクロミラー表示素子２８に赤、緑、青の単色画像を順次表示させ、前記マイクロミラー表示素子２８から順次出射する赤、緑、青の単色画像光を、投影レンズ４５により拡大して投影面に投影する。これにより、前記投影面に、赤、緑、青の３色の単色画像が重なって見えるフルカラー画像が表示されることになる。
【００８２】
なお、このプロジェクタは、投影レンズカバー１２を図１のように開いて投影レンズ４５の出射端を露出させ、電源キー２をオンさせて使用される。前記電源キー２をオンさせると、前記光源装置１７の光源ランプ１８が点灯し、前記カラーホイール３０が回転駆動されてマイクロミラー表示素子２８に赤、緑、青の光が順次投射され、前記マイクロミラー表示素子２８から順次出射する赤、緑、青の光が投影レンズ４５により投影されるとともに、前記吸気ファン５８，５９及び前記大風力排気ファン６２，６３，６４が駆動され、プロジェクタケース１内の空冷が開始される。
【００８３】
また、前記投影レンズ４５による投影方向を投影面に合わせるプロジェクタケース１の姿勢調整は、前記赤、緑、青の光を投影レンズ４５により投影させた状態で前足部材１４ｂの突出高さを調整することにより行なわれる。
【００８４】
なお、パソコンからの画像信号またはビデオ信号が入力されないときは、前記マイクロミラー表示素子２８の表示エリア全体から赤、緑、青の光が順次出射し、その光が投影レンズ４５により投影される。そのため、このときの投影面の投影領域はその全体にわたって白である。
【００８５】
そして、前記画像信号またはビデオ信号が入力されると、前記マイクロミラー表示素子２８に赤、緑、青の単色画像データが順次書込まれ、前記投影面に赤、緑、青の３色の単色画像が順次投影されてフルカラー画像が表示される。
【００８６】
また、画像投影の終了後は、前記画像信号またはビデオ信号の入力を停止し、電源キー２をオフさせて、前記投影レンズカバー１２を閉じればよい。電源キー２をオフさせると、光源装置１７の光源ランプ１８が消灯し、前記カラーホイール３０の回転駆動が停止されるとともに、それから一定時間後、または光源温度が一定温度以下になったときに吸気ファン５８，５９及び大風力排気ファン６２，６３，６４の駆動が停止される。
【００８７】
次に、このプロジェクタに用いられるカラーホイールユニットの構成について詳しく説明する。
【００８８】
図４はカラーホイールの回転によって生じる空気の流れを模式的に示す図、図５はカラーホイールユニットの構成を部分的に示す斜視図である。
【００８９】
上述したように、カラー画像が投影表示されている状態では、光源装置１７の光源ランプ１８からの光が常にカラーホイール３０に照射されているため、カラーホイール３０が光の熱により高温化して破損するなどの問題があり、その冷却対策が重要な課題として挙げられている。
【００９０】
ここで、図４に示すように、カラーホイール３０が回転すると、その遠心力により、回転中心部３０ａから外周に向かって、矢印に示すような空気の流れが発生する。この空気の流れを利用してカラーホイール３０を冷却するべく、図５に示すようなカラーホイールカバー７０が用いられる。
【００９１】
なお、図４の例では、Ｒ，Ｇ，Ｂの３原色に、さらにＷ（白）を加えて、カラーホイール３０を４分割した場合の構成が示されている。Ｗ（白）のカラーフィルタ３１Ｗは、輝度（明るさ）の調整用に用いられるものであり、必ずしも必要なものではない。
【００９２】
図５に示すように、第１の実施形態におけるカラーホイールユニットは、光源装置１７の光源ランプ１８からの光を分光する回転式のカラーホイール３０と、そのカラーホイール３０を覆うカバー部材としてのカラーホイールカバー７０とを備える。
【００９３】
このカラーホイールカバー７０は、カラーホイール３０の表面に対向して設けられる表面部７１ａと、カラーホイール３０の裏面に対向して設けられる裏面部７１ｂとからなり、この表面部７１ａと裏面部７１ｂでカラーホイール３０の両面を覆うように組み合わせることで、排気口として利用される間隙７２が外周部に複数箇所形成される。
【００９４】
また、このカラーホイールカバー７０の表面部７１ａには、光源装置１７の光源ランプ１８からの光を、カラーホイール３０を介して導光ロッド３３に通すための入射口７３が形成されている。さらに、この表面部７１ａの中心部分、つまり、カラーホイール３０の回転中心部３０ａに対応する位置に円形状の吸気孔７４が形成されている。
【００９５】
このような構成によれば、カラーホイール３０の回転に伴い、吸気孔７４から吸気された空気がカラーホイール３０の表面に吹き付けられる。これにより、カラーホイール３０が冷却され、温度上昇を抑えることができる。その際、吸気孔７４から吸気された空気はカラーホイールカバー７０の外周部の間隙７２から外部へ排気されるので、カラーホイール３０の熱で暖められた空気がカラーホイールカバー７０内を循環することはない。
【００９６】
このように、カラーホイールカバー７０に設けられた吸気孔７４から吸気された空気をカラーホイール３０に吹き付けることで、冷却用の特別なファンを必要とせずに、カラーホイール３０を効率的に冷却することができる。また、吸気孔７４から吸気されてカラーホイール３０の熱で温まった空気は、カラーホイール３０の表面部７１ａと裏面部７１ｂとの間に形成される間隙７２を通じて外部に排気されるので、温かい空気がカバー内部を循環して冷却効率を下げることを防ぐことができる。
【００９７】
（変形列１）
次に、図６及び図７を参照して第１の実施形態における変形例１について説明する。変形例１では、カラーホイールカバーに吸気孔に繋がる吸気ダクトを設けたことを特徴とする。
【００９８】
図６は第１の実施形態における変形例１としてのカラーホイールユニットの構成を部分的に示す斜視図であり、カラーホイールカバーに吸気ダクトを設けた場合の構成を示す図である。図７はカラーホイールカバーの入射口周囲の温度状態を説明するための図である。
【００９９】
前記第１の実施形態（図５参照）では、カラーホイールカバー７０の表面部７１ａに吸気孔７４を設けることで、カラーホイール３０を冷却する構成としたが、図６に示すように、さらにカラーホイールカバー７０の表面上に吸気ダクト７５を設けるようにしても良い。この吸気ダクト７５は、カラーホイールカバー７０上に形成された吸気孔７４を覆うようにして中心部から外周方向に向けて配設される。この吸気ダクト７５の吸気口７５ａは、図６に示すように、光源ランプ１８からの光を通すための入射口７３とは反対方向に向けられる。これは、以下のような理由による。
【０１００】
すなわち、図７に示すように、カラーホイールカバー７０の表面部７１ａには入射口７３が形成されており、光源ランプ１８からの光はその入射口７３を通ってカラーホイール３０に照射されるので、斜線で示すように入射口７３の周辺の温度がカラーホイール３０の熱によって他の部分よりも高くなっている。したがって、この入射口７３の周辺の加熱された空気を吸気孔７４から吸気してカラーホイール３０に吹き付けたのでは、カラーホイール３０に対する冷却効率が非常に悪い。
【０１０１】
そこで、図６のように表面部７１ａの入射口７３とは反対方向に吸気ダクト７５の吸気口７５ａを設けるようにすれば、入射口７３周辺の熱で温まっていない空気を吸気ダクト７５から取り入れて冷却効率を上げることができる。
【０１０２】
（変形列２）
次に、図８乃至図１０を参照して第１の実施形態における変形例２について説明する。変形例２では、カラーホイールに送風用の羽根を設けたことを特徴とする。
【０１０３】
図８は第１の実施形態における変形例２としてのカラーホイール部分の構成を示す斜視図であり、カラーホイールに送風用の羽根を設けた場合の構成を示す図である。図９はそのカラーホイールに設けられる送風用の羽根の設置位置を説明するための図である。また、図１０はそのカラーホイールに設けられる送風用の羽根の形状を工夫した場合の図である。
【０１０４】
前記第１の実施形態（図５参照）では、カラーホイール３０を覆うカラーホイールカバー７０の構造を工夫することでカラーホイール３０を冷却するものとしたが、図８に示すように、さらに、カラーホイール３０に送風用の羽根７６を設けるようにしても良い。この羽根７６は、カラーホイール３０を構成するカラーフィルタ３１Ｒ，３１Ｇ，３１Ｂ，３１Ｗの各セグメント間に設けられる。なお、上述したようにカラーフィルタ３１Ｗは輝度（明るさ）の調整用であり、必ずしも必要なものではない。
【０１０５】
また、この羽根７６は、カラーフィルタ３１Ｒ，３１Ｇ，３１Ｂ，３１Ｗのそれぞれの境界線に沿って、カラーホイール３０の回転中心部３０ａから円周方向に向けて配設される。図９にカラーフィルタ３１Ｇと３１Ｂとの間に羽根７６を設けた場合の例を示す。
【０１０６】
このように、カラーホイール３０上に羽根７６を設けておけば、羽根７６の回転作用により吸気力が増し、カラーホイール３０上で発生する風量を多くしてカラーホイール３０をより効率的に冷却することができる。さらに、図１０に示すように、カラーホイール３０の回転によって羽根７６が風を受ける側に傾斜７６ａを施しておくことでも良く、このような形状にしておけば、より効率的に風を起こして冷却効率をさらに上げることができる。
【０１０７】
なお、カラーホイール３０上に羽根７６を設けた場合、冷却効率は向上する反面、カラーホイール３０の各セグメント間に遮蔽物を介在させることになるので、輝度が低下する可能性がある。したがって、羽根７６の厚みはできるだけ薄く、さらに、遮光性の低い部材、つまり、透明な部材で形成することが好ましい。
【０１０８】
（変形例３）
次に、図１１を参照して第１の実施形態における変形例３について説明する。変形例３では、カラーホイールカバーの裏面側に吸気孔を設けたことを特徴とする。
【０１０９】
図１１は第１の実施形態における変形例３としてのカラーホイールカバーの裏面側の構成を示す斜視図であり、カラーホイールカバーの裏面に吸気孔を設けた場合の構成を示す図である。
【０１１０】
前記第１の実施形態（図５参照）では、カラーホイール３０を覆うカラーホイールカバー７０の表面に吸気孔７４を設けたが、この吸気孔７４とは別に、図１１に示すように、カラーホイールカバー７０の裏面部７１ｂにも同様の吸気孔７７を設けるようにしても良い。
【０１１１】
この吸気孔７７は、裏面部７１ｂの中心部付近に設けられ、カラーホイール３０の回転により周囲の空気を吸気してカラーホイール３０の裏面側から吹き付けることで、カラーホイール３０を冷却する。この場合、カラーホイールカバー７０の裏面側には、カラーホイール回転モータ３２や電子回路７８などが設けられているため、この吸気孔７７の吸気による空気の流れによって、これらの部分を冷却することもできる。
【０１１２】
また、カラーホイール３０の裏面側にも前記変形例２と同様の羽根７６を設けておけば、カラーホイール３０の裏面側からの空気の流れも良くして、さらに冷却効率を上げることができる。
【０１１３】
なお、ここではカラーホイール３０の表面側に設けられた吸気孔７４とは別に、裏面側に吸気孔７７を設けるものとしたが、吸気による空気の流れによってカラーホイール３０を冷却することであれば、カラーホイールカバー７０の表面部７１ａおよび裏面部７１ｂのうちのどちらか一方に吸気孔を設けることでも良い。
【０１１４】
（第２の実施形態）
次に、本発明の第２の実施形態について説明する。第２の実施形態では、冷却用に吸気した空気を一方向に排気可能な構造を有するカラーホイールカバーを用いることを特徴とする。
【０１１５】
図１２および図１３は本発明の第２の実施形態に係るカラーホイールユニットの構成を部分的に示す斜視図であり、図１２はカラーホイールカバーを開けた状態、図１３はカラーホイールカバーを閉めた状態を示している。
【０１１６】
第２の実施形態において、カラーホイールユニットは、回転式のカラーホイール３０と、そのカラーホイール３０の周囲を覆うカラーホイールカバー８０とからなる。なお、カラーホイール３０の構成については前記第１の実施形態と同様であるため、ここではその説明を省略する。
【０１１７】
カラーホイールカバー８０は、カラーホイール３０の表面に対向して設けられる表面部８１ａと、カラーホイール３０の裏面に対向して設けられる裏面部８１ｂと、カラーホイール３０の外周側に設けられる側壁部８１ｃとからなる。表面部８１ａはカラーホイール３０の表面側を覆い、裏面部８１ｂはカラーホイール３０の裏面側を覆う。
【０１１８】
図１３に示すように、このカラーホイールカバー８０の表面部８１ａには、光源装置１７の光源ランプ１８からの光を、カラーホイール３０を介して導光ロッド３３に通すための入射口８３が形成されている。さらに、この表面部８１ａの中心部分、つまり、カラーホイール３０の回転中心部３０ａに対応する位置に円形状の吸気孔８４が形成されている。
【０１１９】
また、側壁部８１ｃは表面部８１ａと裏面部８１ｂとの間に設けられ、図１２に示すように、表面部８１ａと裏面部８１ｂと共にカラーホイール３０の回転方向に沿って徐々に広がる排気路８２を形成している。この排気路８２は、吸気孔８４から吸気された空気をカラーホイール３０の回転力を利用して一方向に導くためにあり、その流出口８２ａに排気ダクト８５を取り付けることで、別の場所に排気を導くことが可能となる。
【０１２０】
なお、前記別の場所とは、例えば図２に示したプロジェクタケース１内に標準装備されている大風力排気ファン６２，６３，６４の設置場所などであり、前記排気ダクト８５はその設置場所の方向に向けて配設される。
【０１２１】
このような構成によれば、カラーホイール３０の回転に伴い、吸気孔７４から吸気され空気がカラーホイール３０の表面に吹き付ける。これにより、カラーホイール３０が冷却され、温度上昇を抑えることができる。その際、吸気孔７４から吸気された空気はカラーホイールカバー８０内に形成された排気路８２を通って流出口８２ａから外部へ排気されるので、カラーホイール３０の熱で暖められた空気がカラーホイールカバー７０内を循環することはない。
【０１２２】
このように、図１２に示すような形状のカラーホイールカバー８０を用いることでも、冷却用の特別なファンを必要とせずに、カラーホイール３０を効率的に冷却することができる。また、吸気孔８４から吸気されてカラーホイール３０の熱で温まった空気は、カラーホイール３０の回転方向に沿って徐々に広がる排気路８２を通って流出口８２ａから外部に効率的に排気される。つまり、カラーホイール３０の熱で暖められた空気をいつもまでもカバー内部に停滞させずに、速やかに外部に排出して冷却効率を上げることができる。
【０１２３】
また、図１２に示したように、この排気路８２の流出口８２ａに排出ダクト８５を設けて別の場所に排気を導くような構成とすれば、カラーホイールユニット周辺の温度上昇を抑えて、さらに冷却効率を上げることができる。
【０１２４】
さらに、前記第１の実施形態における変形例１〜３の構成を適用することも可能である。すなわち、図１３に示すように、カラーホイールカバー８０の表面上に吸気孔８４に繋がる吸気ダクト８６を設けるようにしても良い。この吸気ダクト８６は、カラーホイールカバー７０上に形成された吸気ダクト８６を覆うようにして中心部から外周方向に向けて配設される。この吸気ダクト８６の吸気口８６ａは、光源ランプ１８からの光を通すための入射口８３とは反対側に向けられる。これにより、入射口８３周辺の熱で温まっていない空気を吸気ダクト８６を介して吸気孔８４に導くことができる。
【０１２５】
また、図１４に示すように、カラーホイール３０に送風用の羽根８７を設けるようにしても良い。この羽根８７は、カラーホイール３０を構成するカラーフィルタ３１Ｒ，３１Ｇ，３１Ｂ，３１Ｗの各セグメント間に設けられる。このような羽根８７をカラーホイール３０に設けておけば、「シロッコファン」のように、吸気孔８４から吸気された空気を羽根８７の回転によりカラーホイールカバー８０内の排気路８２を通じて外部に排気して効率的な冷却動作を行うことができる。
【０１２６】
また、吸気孔８４は、カラーホイールカバー８０の表面部８１ａだけでなく裏面部８１ｂに設けても良く、その場合には、図１１に示したように、カラーホイール回転モータ３２や電子回路７８などを吸気による空気の流れによって冷却することができる。
【０１２７】
さらに、カラーホイールカバー８０の裏面部８１ｂに吸気孔８４を設けることに加え、カラーホイール３０の裏面側にも羽根８７を設ければ、吸気力が増し、さらに冷却効率を上げることができる。
【０１２８】
なお、吸気による空気の流れによってカラーホイール３０を冷却することであれば、カラーホイールカバー８０の表面部８１ａおよび裏面部８１ｂのうちのどちらか一方に吸気孔８４を設けることでも良い。
【０１２９】
以上のように本発明によれば、カラーホイールを覆うカラーホイールカバーに吸気孔を設け、その吸気孔から吸気される空気の流れによってカラーホイールを冷却する構成としたことで、冷却用の特別なファンを必要とせずに、カラーホイールを効率的に冷却することができる。その結果、プロジェクタの投影時に光源ランプからの光の照射によってカラーホイールが高温化することを抑えて、高温による破損することを防いで商品寿命を延ばすことが可能となり、さらに、冷却用の特別なファンを必要としないため、消費電力を低く抑えることもできる。
【０１３０】
特に、第１の実施形態のように、カラーホイールの両面を部分的に間隙を有して覆うカラーホイールカバーを用いて、そのカラーホイールカバーに吸気孔を設けるような構成とすれば（図５参照）、複雑な排気機構を必要とせずに、吸気孔から吸気されてカラーホイールの熱で暖められた空気を前記隙間から外に排出することができる。
【０１３１】
また、変形例１のように、カラーホイールカバー上に吸気孔に繋がる吸気ダクトを設け、その吸気ダクトの吸気口を光源からの光を受ける入射口とは反対の方向に向けることで（図６参照）、入射口周辺の熱で温まっていない空気を吸気ダクトを介して吸気孔に導くことができる。
【０１３２】
また、変形例２のように、カラーホイール上に送風用の羽根を設ければ（図８参照）、その羽根の回転力により吸気力が増し、カラーホイール上で発生する風量を多くして、より効率的にカラーホイールを冷却することができる。この場合、遮光性の低い透明な部材を用いて羽根を形成することで、カラーホイールに入射される光を羽根で遮って輝度を低下させることを防ぐことができる。
【０１３３】
また、変形例３のように、カラーホイールカバーの裏面側に吸気孔を設ければ（図１１参照）、その裏面側にあるモータや回路部品の冷却も兼ねることができる。さらに、カラーホイールの裏面側に羽根を設ければ、カラーホイールの裏面側からの空気の流れも良くして、さらに冷却効率を上げることができる。
【０１３４】
また、第２の実施形態のように、カラーホイールの回転方向に沿って徐々に広がる排気路を有するカラーホイールカバーを用い、そのカラーホイールカバーに吸気孔を設ける構成とすれば、前記排気路により排気方向をコントロールして、吸気孔から吸気されてカラーホイールの熱で暖められた空気を外に排出することができる。また、前記排気路の流出口に排気ダクトを設ければ、その排気ダクトを介して任意の場所に導くことが可能であり、これにより、カラーホイールユニット周辺の温度上昇を抑えることができる。
【０１３５】
さらに、第２の実施形態の構成に前記変形例１〜３の構成を適宜組み合わせることでも、前記同様の効果が奏せられる。
【０１３６】
なお、前記第１〜第３の実施形態では、ＤＬＰタイプのプロジェクタを例にして説明したが、本発明のカラーホイールユニットはこれに限るものではなく、例えばモノクロの表示素子を用いた透過型パネルを用いたフィールドシーケンシャル方式のプロジェクタに適用することも可能である。その他、回転式のカラーホイールを用いて、光に着色を施して出力する機能を備えた電子機器であれば、その全てに適用可能である。
【０１３７】
要するに、本発明は、前述した各実施形態に限定されるものではなく、実施段階ではその要旨を逸脱しない範囲で種々に変形することが可能である。また、前述した実施形態で実行される機能は、可能な限り適宜組合せて実施しても良い。前述した各実施形態には、種々の段階の発明が含まれており、開示される複数の構成要件における適宜の組合せにより種々の発明が抽出され得る。例えば、各実施形態に示される全構成要素から幾つかの構成要素を削除されても、効果が得られるのであれば、この構成要件が削除された構成が発明として抽出され得る。
【図面の簡単な説明】
【０１３８】
【図１】図１は本発明の第１の実施形態に係るカラーホイールユニットを適用したプロジェクタの外観構成を示す斜視図である。
【図２】図２はプロジェクタの横断平面図である。
【図３】図３は図２のIII−III線に沿うプロジェクタの断面図である。
【図４】図４はカラーホイールユニットに用いられるカラーホイールの回転によって生じる空気の流れを模式的に示す図である。
【図５】図５はカラーホイールユニットの構成を部分的に示す斜視図である。
【図６】図６は第１の実施形態における変形例１としてのカラーホイールユニットの構成を部分的に示す斜視図であり、カラーホイールカバーに吸気ダクトを設けた場合の構成を示す図である。
【図７】図７はカラーホイールカバーの入射口周囲の温度状態を説明するための図である。
【図８】図８は第１の実施形態における変形例２としてのカラーホイール部分の構成を示す斜視図であり、カラーホイールに送風用の羽根を設けた場合の構成を示す図である。
【図９】図９はカラーホイールに設けられる送風用の羽根の設置位置を説明するための図である。
【図１０】図１０はカラーホイールに設けられる送風用の羽根の形状を工夫した場合の図である。
【図１１】図１１は第１の実施形態における変形例３としてのカラーホイールカバーの裏面側の構成を示す斜視図であり、カラーホイールカバーの裏面に吸気孔を設けた場合の構成を示す図である。
【図１２】図１２は本発明の第２の実施形態に係るカラーホイールユニットの構成を部分的に示す斜視図であり、カラーホイールカバーを開けた状態を示す図である。
【図１３】図１３はカラーホイールユニットのカラーホイールカバーを閉めた状態を示す図である。
【図１４】図１４はカラーホイールユニットのカラーホイールに送風用の羽根を設けた場合の構成を示す図である。
【符号の説明】
【０１３９】
１７…光源装置、１８…光源ランプ、１９…ガラスバルブ、２０ａ，２０ｂ…棒状電極、２１…リフレクタ、２２…防爆ガラス、２３…紫外線反射膜、２４…低反射膜、２５…防爆カバー、２８…マイクロミラー表示素子、２９…光源側光学系、３０…カラーホイール、３０ａ…回転中心部、３１Ｒ，３１Ｇ，３１Ｂ，３１Ｗ…カラーフィルタ、３２…カラーホイール回転モータ、３３…導光ロッド、３４，３５…光源側レンズ、３７…ミラー、４３…カバーガラス、４４…中継レンズ、４５…投影レンズ、７０…カラーホイールカバー、７１ａ…表面部、７１ｂ…裏面部、７２…間隙、７３…入射口、７４…吸気孔、７５…吸気ダクト、７５ａ…吸気口、７６…羽根、７６ａ…傾斜、７７…吸気孔、７８…電子回路、８０…カラーホイールカバー、８１ａ…表面部、８１ｂ…裏面部、８１ｃ…側壁部、８２…排気路、８２ａ…流出口、８３…入射口、８４…吸気孔、８５…排気ダクト、８６…吸気ダクト、８６ａ…吸気口、８７…羽根。
【図１】
2007093690.tif 000003
【図２】
2007093690.tif 000004
【図３】
2007093690.tif 000005
【図４】
2007093690.tif 000006
【図５】
2007093690.tif 000007
【図６】
2007093690.tif 000008
【図７】
2007093690.tif 000009
【図８】
2007093690.tif 000010
【図９】
2007093690.tif 000011
【図１０】
2007093690.tif 000012
【図１１】
2007093690.tif 000013
【図１２】
2007093690.tif 000014
【図１３】
2007093690.tif 000015
【図１４】
2007093690.tif 000016